(57)【特許請求の範囲】
【請求項１】
基地局装置との間で通信を行うように構成されているユーザ装置であって、
前記基地局装置との間で無線リンクを確立している接続状態において、該基地局装置から通知された第１制御信号によって通知される第１優先度に基づいて、２つ以上のレイヤに属するセルにおける通信品質を測定し、該測定結果を該基地局装置に対して報告し、該基地局装置からの指示に応じてハンドオーバ処理を行うように構成されている接続状態処理部と、
待ち受け状態において、前記基地局装置から通知された第２制御信号によって通知される第２優先度に基づいて、２つ以上のレイヤに属するセルにおける通信品質を測定し、該測定結果に基づいて待ち受けを行うセルを決定するように構成されている待ち受け状態処理部とを具備し、
前記第１優先度及び前記第２優先度は、前記レイヤ毎の優先度を示すものであり、
前記接続状態は、ＲＲＣ_Ｃｏｎｎｅｃｔｅｄ状態であり、前記待ち受け状態は、Ｉｄｌｅ状態であり、
前記第１優先度は、前記ユーザ装置がＲＲＣ_Ｃｏｎｎｅｃｔｅｄ状態からＩｄｌｅ状態に遷移する際に廃棄され、
前記第２優先度は、前記ユーザ装置がＩｄｌｅ状態からＲＲＣ_Ｃｏｎｎｅｃｔｅｄ状態に遷移する際に廃棄されることを特徴とするユーザ装置。
【請求項２】
前記接続状態処理部及び前記待ち受け状態処理部は、前記２つ以上のレイヤに属するセルにおける通信品質として、周波数の異なる同一システム内のセル或いは異なるシステム内のセルにおける通信品質を測定するように構成されていることを特徴とする請求項１に記載のユーザ装置。
【請求項３】
前記接続状態処理部及び前記待ち受け状態処理部は、より高い優先度を有するセルにおける通信品質の測定を、より低い優先度を有するセルにおける通信品質の測定よりも先に行うように構成されていることを特徴とする請求項１に記載のユーザ装置。
【請求項４】
ユーザ装置との間で通信を行うように構成されている基地局装置であって、
前記基地局装置との間で無線リンクを確立している接続状態の前記ユーザ装置に対して、２つ以上のレイヤに属するセルにおける通信品質を測定して報告するように指示し、第１優先度を含む第１制御信号を送信し、該ユーザ装置によって該第１優先度に基づいて測定された２つ以上のレイヤに属するセルにおける通信品質に基づいて、該ユーザ装置がハンドオーバ処理を行うべきか否かについて判定するように構成されているハンドオーバ処理部と、
待ち受け状態の前記ユーザ装置に対して、２つ以上のレイヤに属するセルにおける通信品質を測定して待ち受けを行うセルを決定するために用いられ、第２優先度を含む第２制御信号を送信するように構成されている待ち受けセル検索処理部とを具備し、
前記第１優先度及び前記第２優先度は、前記レイヤ毎の優先度を示すものであり、
前記接続状態は、ＲＲＣ_Ｃｏｎｎｅｃｔｅｄ状態であり、前記待ち受け状態は、Ｉｄｌｅ状態であり、
前記第１優先度は、前記ユーザ装置がＲＲＣ_Ｃｏｎｎｅｃｔｅｄ状態からＩｄｌｅ状態に遷移する際に廃棄され、
前記第２優先度は、前記ユーザ装置がＩｄｌｅ状態からＲＲＣ_Ｃｏｎｎｅｃｔｅｄ状態に遷移する際に廃棄されることを特徴とする基地局装置。
【請求項５】
前記２つ以上のレイヤに属するセルにおける通信品質として、周波数の異なる同一システム内のセル或いは異なるシステム内のセルにおける通信品質が測定されることを特徴とする請求項４に記載の基地局装置。
【発明の詳細な説明】
【技術分野】
【０００１】
本発明は、基地局装置との間で通信を行うように構成されているユーザ装置、ユーザ装置との間で通信を行うように構成されている基地局装置、及び、ユーザ装置と基地局装置との間で通信を行う移動通信方法に関する。
【背景技術】
【０００２】
複数のセルを有する移動通信システムでは、ユーザ装置（ＵＥ：  Ｕｓｅｒ  Ｅｑｕｉｐｍｅｎｔ）が、１つのセル内の領域から他のセル内の領域に移動するときに、サービングセル（Ｓｅｒｖｉｎｇ  Ｃｅｌｌ）を切り替えて通信を継続する。このサービングセルの切り替えを「ハンドオーバ」という。
【０００３】
一般的に、ユーザ装置が、隣接セルに移動し、かかる隣接セルからの信号がサービングセルからの信号より強くなった場合に、かかる隣接セルに対してハンドオーバを行う。
【０００４】
例えば、ユーザ装置は、図１１に示す手順に従ってハンドオーバを行う。
【０００５】
ステップＳ１において、ユーザ装置は、隣接セルにおける通信品質（隣接セルの信号電力）を測定する。
【０００６】
ステップＳ２において、隣接セルにおける通信品質（隣接セルの信号電力）が、以下の式を満たす否かについて確認する。
【０００７】
隣接セルの信号電力＋オフセット＞サービングセルの信号電力
その後、上述の式を満足した場合に、ユーザ装置は、その旨（イベントＡ１）を、基地局装置（ネットワーク）に報告する。
【０００８】
かかる基地局装置への報告は、「メジャーメントレポート（Ｍｅａｓｕｒｅｍｅｎｔ  Ｒｅｐｏｒｔ）」により行われる。
【０００９】
なお、オフセットは、セル境界でサービングセルから隣接セルへのハンドオーバが頻繁に生じないようにするために設けられている値であり、正の値でもよく、負の値でもよい。
【００１０】
ステップＳ３において、基地局装置は、上述のイベントＡ１を報告するメジャーメントレポートを受信すると、ユーザ装置が、上述のイベントＡ１が報告された隣接セルに対してハンドオーバするべきであることを決定し、ハンドオーバ手順を実行する。
【００１１】
すなわち、基地局装置は、ユーザ装置ＵＥに対して、ハンドオーバを指示するメッセージ、すなわち、ハンドオーバコマンド(Ｈａｎｄｏｖｅｒ  Ｃｏｍｍａｎｄ)を通知する。
【００１２】
ここで、上述のイベントＡ１は、サービングセルと同一の周波数を有する隣接セルの測定に関するイベントである。
【００１３】
なお、Ｗ-ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式や、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式の後継となるＬＴＥ（Ｌｏｎｇ  Ｔｅｒｍ  Ｅｖｏｌｕｔｉｏｎ）方式では、ハンドオーバを行うべきか否かについての判定基準（上述した例においては、隣接セル及びサービングセルからの信号電力）の１つとして、「ＲＳＲＰ（Ｒｅｆｅｒｅｎｃｅ  Ｓｉｇｎａｌ  Ｒｅｃｅｉｖｅｄ  Ｐｏｗｅｒ）」が用いられる（非特許文献１参照）。
【００１４】
なお、ＲＳＲＰ以外にも、「ＲＳ-ＳＩＲ（Ｒｅｆｅｒｅｎｃｅ  Ｓｉｇｎａｌ  Ｓｉｇｎａｌ-ｔｏ-Ｉｎｔｅｒｆｅｒｅｎｃｅ  Ｒａｔｉｏ）」や、「Ｅ-ＵＴＲＡ  Ｃａｒｒｉｅｒ  ＲＳＳＩ（Ｒｅｃｅｉｖｅｄ  Ｓｉｇｎａｌ  Ｓｔｒｅｎｇｔｈ  Ｉｎｄｉｃａｔｏｒ）」や、「ＲＳＲＱ（Ｒｅｆｅｒｅｎｃｅ  Ｓｉｇｎａｌ  Ｒｅｃｅｉｖｅｄ  Ｑｕａｌｉｔｙ）」等が用いられてもよい。
【００１５】
ところで、上述した例においては、ハンドオーバ先が同一の周波数を有するセルであったが、ハンドオーバ先は同一システムの同一周波数のセルだけでなく、同一システムの異なる周波数のセルであるかもしれないし、異なる無線アクセス技術（ＲＡＴ：Ｒａｄｉｏ  Ａｃｃｅｓｓ  Ｔｅｃｈｎｏｌｏｇｙ）を使用しているセルかもしれない。
【００１６】
異なる無線アクセス技術を使用しているセルの周波数は、一般的に、ハンドオーバ元と異なる周波数であるため、必然的に、ハンドオーバ先のセルの周波数は、ハンドオーバ元のセルの周波数と異なる。
【００１７】
図１２は、異周波数セル間のハンドオーバが行われる様子を模式的に示す。図１２では、第１周波数ｆ１の移動通信システム及び第２周波数ｆ２の移動通信システムを含むＬＴＥ方式の移動通信システムと、ｆ１及びｆ２とは異なる周波数ｆ３を使用するＷ-ＣＤＭＡ方式の移動通信システムとが示されている。
【００１８】
異周波数セルの移動通信システム又は異ＲＡＴの移動通信システム間で、ハンドオーバを行うことについては、例えば、非特許文献２、３で説明されている。
【００１９】
例えば、図１２において、基地局装置は、第１周波数ｆ１の移動通信システムとの間で通信を行っているユーザ装置に対して、第２周波数ｆ２のセル及び第３周波数ｆ３のセルからなる２つのレイヤのセルの測定を行うように指示することができる。
【００２０】
なお、以下の説明では、第１周波数ｆ１、第２周波数ｆ２、第３周波数ｆ３等の、それぞれの周波数のことをレイヤと呼ぶ。すなわち、図１２においては、第１周波数ｆ１の第１レイヤと、第２周波数ｆ２の第２レイヤと、第３周波数ｆ３の第３レイヤの３つのレイヤが存在する。
【００２１】
一般に、ユーザ装置は、無線信号処理部を１つしか備えていないので、異なる周波数の各々について同時に信号の送受信を行うことはできない。
【００２２】
このため、在圏セル（サービングセル）の周波数と異なる周波数のセル（異周波数セル）の測定を行う場合、周波数を同調し直す必要がある。
【００２３】
具体的には、例えば、基地局装置は、メジャメントを制御する「ＲＲＣメッセージ」によって、「ギャップ期間の長さ」や「ギャップ期間の訪れる周期」や「異周波数セルの周波数」等をユーザ装置に対して通知し、ユーザ装置は、指定されたギャップ期間において、異周波数測定（周波数の変更、同期チャネルの捕捉、通信品質の測定、周波数の変更等の処理を含む）を行う。
【００２４】
本願における「異周波数測定」は、異周波数セルをサーチし、その通信品質を測定するだけでなく、異ＲＡＴのセルをサーチし、その通信品質を測定することも含む概念である。
【００２５】
例えば、図１２において、基地局装置は、ユーザ装置に対して、測定すべきレイヤとして、第２周波数ｆ２のレイヤと、第３周波数ｆ３のレイヤを指定してもよい。
【００２６】
上述したように、ユーザ装置は、同一周波数のセル、異なる周波数のセル、或いは、異なるシステムのセルにハンドオーバを行うために、隣接セルの測定（Ｍｅａｓｕｒｅｍｅｎｔ）を行う。
【００２７】
そして、かかる測定は、ネットワーク、より具体的には、基地局装置より指示される。すなわち、ユーザ装置は、基地局装置より提供された「Ｍｅａｓｕｒｅｍｅｎｔ  Ｃｏｎｆｉｇｕｒａｔｉｏｎ」に従って、隣接セルの測定を行い、その隣接セルにおける通信品質の測定結果を基地局装置に報告する。
【００２８】
ここで、「Ｍｅａｓｕｒｅｍｅｎｔ  Ｃｏｎｆｉｇｕｒａｔｉｏｎ」は、ＲＲＣ_Ｃｏｎｎｅｃｔｅｄ接続状態のユーザ装置に対して、個別シグナリング、例えば、ＲＲＣ  ＣＯＮＮＥＣＴＩＯＮ  ＲＥＣＯＮＦＩＧＵＲＡＴＩＯＮメッセージ」により提供される。
【非特許文献１】３ＧＰＰ  ＴＳ３６.２１４、Ｖ８.１.０、Ｓｅｃｔｉｏｎ  ５.１.１、２００７年１１月
【非特許文献２】３ＧＰＰ  ＴＳ３６.３００（Ｖ８.３.０）、“Ｅ−ＵＴＲＡ  ａｎｄ  Ｅ−ＵＴＲＡＮ  Ｏｖｅｒａｌｌ  ｄｅｓｃｒｉｐｔｉｏｎ”、２００７年１１月
【非特許文献３】３ＧＰＰ  ＴＳ３６.３３１（Ｖ８.０.０）、“Ｅ−ＵＴＲＡ  Ｒａｄｉｏ  Ｒｅｓｏｕｒｃｅ  Ｃｏｔｒｏｌ  Ｐｒｏｔｏｃｏｌ  ｓｐｅｃｉｆｉｃａｔｉｏｎ”、２００７年１２月
【発明の開示】
【発明が解決しようとする課題】
【００２９】
上述したように、基地局装置は、ユーザ装置に対して、測定すべきレイヤとして複数のレイヤを指定することが可能である。例えば、図１２を用いて説明すると、基地局装置は、ユーザ装置に対して、測定すべきレイヤとして、第２周波数ｆ２のレイヤと第３周波数ｆ３のレイヤとを指定することが可能である。
【００３０】
この場合、ユーザ装置は、上述したギャップ期間において、第２周波数ｆ２のレイヤの測定及び第３周波数ｆ３のレイヤの測定を行う。この時、その測定方法として、図１３に示すように、第２周波数ｆ２のレイヤの測定及び第３周波数ｆ３のレイヤの測定を、シリアルに行う方法とパラレルに行う方法とがある。
【００３１】
２つのレイヤの異周波数測定をシリアルに行う場合、その異周波測定に要する時間は、１つのレイヤに関して異周波数測定を行う場合の２倍になる。
【００３２】
一方、２つのレイヤの異周波数測定をパラレルに行う場合、時間的に間延びして測定を行うことになるため、１つのレイヤに関して異周波数測定を行う場合に比べて、同期チャネルの捕捉に要する時間や通信品質測定に要する時間が長くなり、結果として、その異周波数測定に要する時間は、１つのレイヤに関して異周波数測定を行う場合の２倍よりも長くなる。
【００３３】
すなわち、異周波数測定に要する時間という観点では、２つのレイヤの異周波数測定をパラレルに行う場合に比べて、２つのレイヤの異周波数測定をシリアルに行う場合の方が、異周波数測定に要する時間を短くすることができるという長所がある。
【００３４】
一方、２つのレイヤの異周波数測定をシリアルに行う場合には、より優先度の高いレイヤの異周波数測定が後回しにされる、或いは、より通信品質の良いレイヤの異周波数測定が後回しになるという可能性がある。
【００３５】
例えば、図１３において、第３周波数ｆ３のレイヤの優先度が、第２周波数ｆ２のレイヤの優先度よりも高いと仮定する。この場合、かかる優先度に関係なく、第２周波数ｆ２のレイヤの測定が先に行われた場合、まず、第２周波数ｆ２のレイヤにハンドオーバし、そして、その後に、第３周波数ｆ３のレイヤの測定を行い、第３周波数ｆ３のレイヤにハンドオーバするといった事象が生じる。
【００３６】
そこで、本発明は、上述の課題に鑑みてなされたものであり、ＲＲＣ_Ｃｏｎｎｅｃｔｅｄ状態のユーザ装置に対して、レイヤごとの優先度を通知することにより、かかる優先度に基づく複数のレイヤの異周波数測定を実現し、迅速でかつ高品質の異周波数ハンドオーバ及び異ＲＡＴハンドオーバを実現することができるユーザ装置、基地局装置及び移動通信方法を提供することを目的とする。
【課題を解決するための手段】
【００３７】
本発明の第１の特徴は、基地局装置との間で通信を行うように構成されているユーザ装置であって、前記基地局装置との間で無線リンクを確立している接続状態において、該基地局装置から通知された第１制御信号によって通知される第１優先度に基づいて、２つ以上のレイヤに属するセルにおける通信品質を測定し、該測定結果を該基地局装置に対して報告し、該基地局装置からの指示に応じてハンドオーバ処理を行うように構成されている接続状態処理部と、待ち受け状態において、前記基地局装置から通知された第２制御信号によって通知される第２優先度に基づいて、２つ以上のレイヤに属するセルにおける通信品質を測定し、該測定結果に基づいて待ち受けを行うセルを決定するように構成されている待ち受け状態処理部とを具備することを要旨とする。
【００３８】
本発明の第１の特徴において、前記接続状態処理部及び前記待ち受け状態処理部は、前記２つ以上のレイヤに属するセルにおける通信品質として、周波数の異なる同一システム内のセル或いは異なるシステム内のセルにおける通信品質を測定するように構成されていてもよい。
【００３９】
本発明の第１の特徴において、前記接続状態処理部及び前記待ち受け状態処理部は、より高い優先度を有するセルにおける通信品質の測定を、より低い優先度を有するセルにおける通信品質の測定よりも先に行うように構成されていてもよい。
【００４０】
本発明の第１の特徴において、前記接続状態は、ＲＲＣ_Ｃｏｎｎｅｃｔｅｄ状態であり、前記待ち受け状態は、Ｉｄｌｅ状態であってもよい。
【００４１】
本発明の第１の特徴において、前記第１優先度は、前記ユーザ装置がＲＲＣ_Ｃｏｎｎｅｃｔｅｄ状態からＩｄｌｅ状態に遷移する際に廃棄され、前記第２優先度は、前記ユーザ装置がＩｄｌｅ状態からＲＲＣ_Ｃｏｎｎｅｃｔｅｄ状態に遷移する際に廃棄されてもよい。
【００４２】
本発明の第２の特徴は、ユーザ装置との間で通信を行うように構成されている基地局装置であって、前記基地局装置との間で無線リンクを確立している接続状態の前記ユーザ装置に対して、２つ以上のレイヤに属するセルにおける通信品質を測定して報告するように指示し、第１優先度を含む第１制御信号を送信し、該ユーザ装置によって該第１優先度に基づいて測定された２つ以上のレイヤに属するセルにおける通信品質に基づいて、該ユーザ装置がハンドオーバ処理を行うべきか否かについて判定するように構成されているハンドオーバ処理部と、待ち受け状態の前記ユーザ装置に対して、２つ以上のレイヤに属するセルにおける通信品質を測定して待ち受けを行うセルを決定するために用いられ、第２優先度を含む第２制御信号を送信するように構成されている待ち受けセル検索処理部とを具備することを要旨とする。
【００４３】
本発明の第２の特徴において、前記２つ以上のレイヤに属するセルにおける通信品質として、周波数の異なる同一システム内のセル或いは異なるシステム内のセルにおける通信品質が測定されてもよい。
【００４４】
本発明の第２の特徴において、前記接続状態は、ＲＲＣ_Ｃｏｎｎｅｃｔｅｄ状態であり、前記待ち受け状態は、Ｉｄｌｅ状態であってもよい。
【００４５】
本発明の第２の特徴において、前記第１優先度は、前記ユーザ装置がＲＲＣ_Ｃｏｎｎｅｃｔｅｄ状態からＩｄｌｅ状態に遷移する際に廃棄され、前記第２優先度は、前記ユーザ装置がＩｄｌｅ状態からＲＲＣ_Ｃｏｎｎｅｃｔｅｄ状態に遷移する際に廃棄されてもよい。
【００４６】
本発明の第３の特徴は、ユーザ装置と基地局装置との間で通信を行う移動通信方法であって、前記基地局装置が、該基地局装置との間で無線リンクを確立している接続状態のユーザ装置に対して、２つ以上のレイヤに属するセルにおける通信品質を測定して報告するように指示する第１制御信号を送信する工程と、接続状態のユーザ装置が、前記基地局装置から通知された前記第１制御信号によって通知される第１優先度に基づいて、前記２つ以上のレイヤに属するセルにおける通信品質を測定し、該測定結果を該基地局装置に対して報告する工程と、前記基地局装置が、前記ユーザ装置によって通知された前記２つ以上のレイヤに属するセルにおける通信品質に基づいて、該ユーザ装置がハンドオーバ処理を行うべきか否かについて判定する工程と、前記基地局装置が、待ち受け状態のユーザ装置に対して、第２制御信号を送信する工程と、待ち受け状態の前記ユーザ装置が、前記基地局装置から通知された第２制御信号によって通知される第２優先度に基づいて、２つ以上のレイヤに属するセルにおける通信品質を測定し、該測定結果に基づいて待ち受けを行うセルを決定する工程とを有することを要旨とする。
【発明の効果】
【００４７】
以上説明したように、本発明によれば、ＲＲＣ_Ｃｏｎｎｅｃｔｅｄ状態のユーザ装置に対して、レイヤごとの優先度を通知することにより、かかる優先度に基づく複数のレイヤの異周波数測定を実現し、迅速でかつ高品質の異周波数ハンドオーバ及び異ＲＡＴハンドオーバを実現することができるユーザ装置、基地局装置及び移動通信方法を提供することができる。
【発明を実施するための最良の形態】
【００４８】
（本発明の第１の実施形態に係る移動通信システムの構成）
図１乃至図７を参照して、本発明の第１の実施形態に係る移動通信システムの構成について説明する。なお、本実施形態に係る移動通信システムを説明するための全図において、同一機能を有するものに対しては、同一符号を付与して繰り返しの説明を省略する。
【００４９】
図１に示すように、移動通信システム１０００は、例えば、「ＬＴＥ（Ｌｏｎｇ  Ｔｅｒｍ  Ｅｖｏｌｕｔｉｏｎ）、Ｅｖｏｌｖｅｄ  ＵＴＲＡ  ａｎｄ  ＵＴＲＡＮ、或いは、Ｓｕｐｅｒ  ３Ｇ」方式が適用されるシステムである。
【００５０】
移動通信システム１０００は、基地局装置（ｅＮＢ：ｅＮｏｄｅ-Ｂ）２００と、複数のユーザ装置（ＵＥ：Ｕｓｅｒ  Ｅｑｕｉｐｍｅｎｔ）１００１、１００２、１００３、・・・１００ｎ（ｎは、ｎ＞０の整数）とを備える。
【００５１】
基地局装置２００は、上位局、例えば、アクセスゲートウェイ装置３００に接続されており、アクセスゲートウェイ装置３００は、コアネットワーク４００に接続されている。
【００５２】
ここで、ユーザ装置１００ｎは、セル５０において、基地局装置２００との間で、ＬＴＥ方式によって通信を行うように構成されている。
【００５３】
以下、ユーザ装置１００１、１００２、１００３、・・・１００ｎについては、同一の構成や機能や状態を有するので、以下では、特段の断りがない限り、ユーザ装置１００ｎとして説明を進める。ユーザ装置１００ｎには、移動端末も固定端末も含まれるものとする。
【００５４】
かかる移動通信システム１０００では、無線アクセス方式として、下りリンクについてはＯＦＤＭＡ（周波数分割多元接続）、上りリンクについてはＳＣ-ＦＤＭＡ（シングルキャリア-周波数分割多元接続）が適用される。
【００５５】
ＯＦＤＭＡは、周波数帯域を複数の狭い周波数帯域（サブキャリア）に分割し、各周波数帯上にデータを載せて伝送を行う方式である。ＯＦＤＭＡによれば、サブキャリアを、周波数上で一部重なりあいながらも互いに干渉することなく密に並べることで、高速伝送を実現し、周波数の利用効率を上げることができる。
【００５６】
ＳＣ-ＦＤＭＡは、周波数帯域を分割し、複数のユーザ装置間で異なる周波数帯域を用いて伝送することで、ユーザ装置間の干渉を低減することができる伝送方式である。ＳＣ-ＦＤＭＡによれば、送信電力の変動が小さくなる特徴を持つことから、移動局の低消費電力化及び広いカバレッジを実現することができる。
【００５７】
ここで、ＬＴＥ方式における通信チャネルについて説明する。
【００５８】
下りリンクでは、各ユーザ装置１００ｎで共有して使用される「物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）」と、下りリンク制御信号を送信する「物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）」とが用いられる。
【００５９】
すなわち、ＬＴＥ方式では、下りリンクチャネルは、「物理下りリンク共有チャネル（ＰＤＳＣＨ）」と「物理下りリンク制御チャネル（ＰＤＣＣＨ）」とによって構成されている。
【００６０】
具体的には、下りリンクでは、「物理下りリンク制御チャネル（ＰＤＣＣＨ）」によって、「物理下りリンク共有チャネル（ＰＤＳＣＨ）」に関する「ユーザの情報」や「トランスポートフォーマットの情報」、「物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）」に関する「ユーザの情報」や「トランスポートフォーマットの情報」、「物理上りリンク共有チャネル（ＰＵＳＣＨ）の送達確認情報（ＨＡＲＱ  ＡＣＫ  ｉｎｆｏｒｍａｔｉｏｎ）」等が通知され、「物理下りリンク共有チャネル（ＰＤＳＣＨ）」により、ユーザデータが伝送される。
【００６１】
なお、「物理下りリンク共有チャネル（ＰＤＳＣＨ）」にマッピングされるトランスポートチャネルは、「下りリンク共有チャネル（ＤＬ-ＳＣＨ：Ｄｏｗｎｌｉｎｋ  Ｓｈａｒｅｄ  Ｃｈａｎｎｅｌ）」である。
【００６２】
また、「物理下りリンク共有チャネル（ＰＤＳＣＨ）」に関する「ユーザの情報」や「トランスポートフォーマットの情報」は、「下りリンクスケジューリング情報（Ｄｏｗｎｌｉｎｋ  Ｓｃｈｅｄｕｌｉｎｇ  Ｉｎｆｏｒｍａｔｉｏｎ）」と呼ばれる。
【００６３】
さらに、「物理上りリンク共有チャネル（ＰＵＳＣＨ）」に関する「ユーザの情報」や「トランスポートフォーマットの情報」は、「上りリンクスケジューリンググラント（Ｕｐｌｉｎｋ  Ｓｃｈｅｄｕｌｉｎｇ  Ｇｒａｎｔ）」と呼ばれる。
【００６４】
これらの「下りリンクスケジューリング情報」及び「上りリンクスケジューリンググラント」は、まとめて、「ＤＣＩ（Ｄｏｗｎｌｉｎｋ  Ｃｏｎｔｒｏｌ  Ｉｎｆｏｒｍａｔｉｏｎ）」と呼ばれてもよい。
【００６５】
また、下りリンクにおいては、パイロット信号として、「下りリンクリファレンス信号（ＤＬ  ＲＳ：Ｄｏｗｎｌｉｎｋ  Ｒｅｆｅｒｅｎｃｅ  Ｓｉｇｎａｌ）」が送信される。
【００６６】
例えば、「下りリンクリファレンス信号」は、ユーザ装置１００ｎによって、下りリンクにおけるチャネル推定や無線品質の測定に用いられる。
【００６７】
図２に、かかる「下りリンクリファレンス信号」のマッピング方法について示す。図２に示すように、ＬＴＥ方式においては、「下りリンクリファレンス信号」は、１サブフレームの内の１番目と５番目と８番目と１２番目のＯＦＤＭシンボルにマッピングされ、周波数方向に関しては、６サブキャリアごとに１個の割合でマッピングされる。
【００６８】
一方、上りリンクでは、各ユーザ装置１００ｎで共有して使用される「物理上りリンク共有チャネル（ＰＵＳＣＨ）」と、「ＬＴＥ用の上りリンク制御チャネル」とが用いられる。
【００６９】
すなわち、ＬＴＥ方式では、上りリンクチャネルは、「物理上りリンク共有チャネル（ＰＵＳＣＨ）」と「ＬＴＥ用の上りリンク制御チャネル」とによって構成されている。
【００７０】
具体的には、上りリンクでは、「ＬＴＥ用の上りリンク制御チャネル」によって、「下りリンク共有チャネル（ＤＬ-ＳＣＨ）」における「スケジューリング」や「適応変復調・符号化（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）」に用いるための「下りリンクの品質情報（ＣＱＩ：Ｃｈａｎｎｅｌ  Ｑｕａｌｉｔｙ  Ｉｎｄｉｃａｔｏｒ）」や、「物理下りリンク共有チャネル（ＰＤＳＣＨ）の送達確認情報（ＨＡＲＱ  ＡＣＫ  ｉｎｆｏｒｍａｔｉｏｎ）」が伝送され、「物理上りリンク共有チャネル（ＰＵＳＣＨ）」によって、ユーザデータが伝送される。
【００７１】
なお、「物理上りリンク共有チャネル（ＰＵＳＣＨ）」にマッピングされるトランスポートチャネルは、「上りリンク共有チャネル（ＵＬ-ＳＣＨ：Ｕｐｌｉｎｋ  Ｓｈａｒｅｄ  Ｃｈａｎｎｅｌ）」である。すなわち、ユーザデータは、「上りリンク共有チャネル（ＵＬ-ＳＣＨ）」にマッピングされる。
【００７２】
ここで、ユーザデータは、例えば、ＷｅｂブラウジングやＦＴＰやＶｏＩＰ等によるＩＰパケットや、「ＲＲＣ（Ｒａｄｉｏ  Ｒｅｓｏｕｒｃｅ  Ｃｏｎｔｒｏｌ）処理」用の制御信号等であり、パケットデータとも呼ばれる。
【００７３】
さらに、ユーザデータは、論理チャネルとしては、例えば、「個別トラヒックチャネル（ＤＴＣＨ：Ｄｅｄｉｃａｔｅｄ  Ｔｒａｆｆｉｃ  Ｃｈａｎｎｅｌ）」や「個別制御チャネル（ＤＣＣＨ：Ｄｅｄｉｃａｔｅｄ  Ｃｏｎｔｒｏｌ  Ｃｈａｎｎｅｌ）」にマッピングされる。
【００７４】
次に、第１の実施形態に係るユーザ装置１００nについて、図３を参照して説明する。
【００７５】
図３に示すように、移動局１００nは、アンテナ１０２と、アンプ部１０４と、送受信部１０６と、ベースバンド信号処理部１０８と、呼処理部１１０と、アプリケーション部１１２とを具備する。
【００７６】
アンテナ１０２は、基地局装置２００により送信された下りリンク信号を受信するように構成されている。
【００７７】
アンプ部１０４は、アンテナ１０２によって受信された下りリンク信号（無線周波数信号）を増幅するように構成されている。
【００７８】
送受信部１０６は、アンプ部１０４で増幅された無線周波数信号に対して、周波数変換処理を施して、ベースバンド信号に変換するように構成されている。
【００７９】
ここで、アンテナ１０２、アンプ部１０４及び送受信部１０６は、Ｍｅａｓｕｒｅｍｅｎｔ制御部１１０２より、受信する下りリンク信号の周波数を切り替えるように指示された場合には、受信する下りリンク信号の周波数を切り替えるように構成されていてもよい。
【００８０】
例えば、Ｍｅａｓｕｒｅｍｅｎｔ制御部１１０２は、「Ｉｎｔｅｒ-Ｆｒｅｑｕｅｎｃｙ  Ｍｅａｓｕｒｅｍｅｎｔｓ」や「Ｉｎｔｅｒ−ＲＡＴ  Ｍｅａｓｕｒｅｍｅｎｔ」を行う際に、そのＭｅａｓｕｒｅｍｅｎｔの対象となるレイヤの周波数を、アンテナ１０２とアンプ部１０４と送受信部１０６とに通知し、アンテナ１０２、アンプ部１０４及び送受信部１０６は、受信する下りリンク信号の周波数を、通知された周波数に切り替える処理を行う。
【００８１】
ベースバンド信号処理部１０８は、送受信部１０６から入力されたベースバンド信号に対して、ＦＦＴ処理や、誤り訂正復号等の受信処理を施すように構成されている。
【００８２】
また、ベースバンド信号処理部１０８は、後述するように、下りリンクリファレンス信号を用いて、隣接セルにおける通信品質の測定、すなわち、「Ｍｅａｓｕｒｅｍｅｎｔ」を行うように構成されている。
【００８３】
なお、「Ｍｅａｓｕｒｅｍｅｎｔ」は、例えば、同一周波数のセルの測定を行う「Ｉｎｔｒａ-ｆｒｅｑｕｅｎｃｙ  Ｍｅａｓｕｒｅｍｅｎｔ」であってもよいし、異なる周波数のセルの測定を行う「Ｉｎｔｅｒ-ｆｒｅｑｕｅｎｃｙ  Ｍｅａｓｕｒｅｍｅｎｔ」であってもよいし、異なるシステムのセルの測定を行う「Ｉｎｔｅｒ-ＲＡＴ  Ｍｅａｓｕｒｅｍｅｎｔ」であってもよい。
【００８４】
一方、アプリケーション部１１２は、上りリンク用のユーザデータについて、ベースバンド信号処理部１０８に入力するように構成されている。なお、アプリケーション部１１２は、物理レイヤやＭＡＣレイヤやＲＬＣレイヤやＰＤＣＰレイヤよりも上位のレイヤに関する処理等を行うように構成されている。
【００８５】
ベースバンド信号処理部１０８は、かかるユーザデータについて、分割・結合処理や、ＲＬＣ（Ｒａｄｉｏ  Ｌｉｎｋ  Ｃｏｎｔｒｏｌ）再送制御等のＲＬＣレイヤにおける送信処理や、Ｈ-ＡＲＱ（Ｈｙｂｒｉｄ  ＡＲＱ）再送制御等のＭＡＣレイヤにおける送信処理や、チャネル符号化処理や、ＤＦＴ処理や、ＩＦＦＴ処理等を行った後に、送受信部１０６に転送するように構成されている。
【００８６】
また、呼処理部１１０内のＭｅａｓｕｒｅｍｅｎｔ制御部１１０２は、基地局装置２００に対して、「Ｍｅａｓｕｒｅｍｅｎｔ  Ｒｅｐｏｒｔ」を送信すると決定した場合に、かかる「Ｍｅａｓｕｒｅｍｅｎｔ  Ｒｅｐｏｒｔ」を、ベースバンド信号処理部１０８（ＲＬＣ処理部１０８９）に送信するように構成されている。
【００８７】
そして、ベースバンド信号処理部１０８は、かかる「Ｍｅａｓｕｒｅｍｅｎｔ  Ｒｅｐｏｒｔ」についても、上述したユーザデータと同様に、分割・結合処理や、ＲＬＣ再送制御等のＲＬＣレイヤにおける送信処理や、Ｈ-ＡＲＱ再送制御等のＭＡＣレイヤにおける送信処理や、チャネル符号化処理や、ＤＦＴ処理や、ＩＦＦＴ処理等を行った後に、送受信部１０６に転送するように構成されている。
【００８８】
なお、かかる「Ｍｅａｓｕｒｅｍｅｎｔ  Ｒｅｐｏｒｔ」は、論理チャネルとしては、例えば、「ＤＣＣＨ（ＤＴＣＨ：Ｄｅｄｉｃａｔｅｄ  Ｃｏｎｔｒｏｌ  Ｃｈａｎｎｅｌ）」にマッピングされる。
【００８９】
送受信部１０６は、ベースバンド信号処理部１０８から入力されたベースバンド信号に対して、周波数変換処理を施して、無線周波数信号に変換するように構成されている。
【００９０】
アンプ部１０４は、送受信部１０６によって入力された無線周波数信号を増幅して、アンテナ１０２を介して送信するように構成されている。
【００９１】
ここで、図４を参照してベースバンド信号処理部１０８の構成について、より詳細に説明する。
【００９２】
ベースバンド信号処理部１０８は、アナログ/ディジタル変換器（Ａ/Ｄ）１０８０と、ＣＰ除去部１０８１と、高速フーリエ変換部（ＦＦＴ）１０８２と、分離部（ＤｅＭＵＸ）１０８３と、データ信号復号部１０８４と、下りリンクリファレンス信号受信部１０８５と、Ｍｅａｓｕｒｅｍｅｎｔ部１０８６と、同期信号受信部１０８７と、ＭＡＣ処理部１０８８と、ＲＬＣ処理部１０８９と、信号生成部１０９０と、送信処理部１０９１とを備える。
【００９３】
アナログ/ディジタル変換器（Ａ/Ｄ）１０８０は、送受信部１０６より入力されたベースバンド信号（アナログ信号）をディジタル信号に変換し、かかるディジタル信号をＣＰ除去部１０８１に入力するように構成されている。
【００９４】
ＣＰ除去部１０８１は、受信シンボルから「ＣＰ（Ｃｙｃｌｉｃ  Ｐｒｅｆｉｘ）」を除去して有効シンボル部分を残し、かかる有効シンボル部分を高速フーリエ変換部（ＦＦＴ）１０８２に入力するように構成されている。
【００９５】
高速フーリエ変換部（ＦＦＴ）１０８２は、ＣＰ除去部１０８１から入力された信号に対して高速フーリエ変換を行った後、ＯＦＤＭ方式の復調を行い、復調された信号を分離部（ＤｅＭＵＸ）１０８３に入力するように構成されている。
【００９６】
分離部（ＤｅＭＵＸ）１０８３は、高速フーリエ変換部（ＦＦＴ）１０８２によって入力された信号から、下りリンクリファレンス信号とデータ信号とを分離し、分離した下りリンクリファレンス信号を下りリンクリファレンス信号受信部１０８５に入力し、分離したデータ信号をデータ信号復号部１０８４に入力するように構成されている。
【００９７】
また、分離部（ＤｅＭＵＸ）１０８３は、高速フーリエ変換部（ＦＦＴ）１０８２によって入力された信号から、同期信号を分離し、分離した同期信号を同期信号受信部１０８７に入力するように構成されている。
【００９８】
なお、同期信号は、上述したように、高速フーリエ変換部（ＦＦＴ）１０８２によって入力された信号から分離されてもよいし、アナログ/ディジタル変換器（Ａ/Ｄ）１０８０の処理が行われた後の信号から分離されてもよい。
【００９９】
下りリンクリファンレス信号受信部１０８５は、分離部（ＤｅＭＵＸ）１０８３から入力された下りリンクリファレンス信号に基づいて、チャネル推定を行い、受信したデータ信号にどのようなチャネル補償がなされるべきかを決定する、すなわち、チャネル推定値を算出するように構成されている。
【０１００】
また、下りリンクリファンレス信号受信部１０８５は、算出したチャネル推定値をデータ信号復号部１０８４に入力するように構成されている。
【０１０１】
さらに、下りリンクリファンレス信号受信部１０８５は、下りリンクリファレンス信号及びチャネル推定値を、Ｍｅａｓｕｒｅｍｅｎｔ部１０８６に入力するように構成されている。
【０１０２】
なお、「Ｉｎｔｅｒ-ｆｒｅｑｕｅｎｃｙ  Ｍｅａｓｕｒｅｍｅｎｔ」が行われる場合には、上述したように、アンテナ１０２とアンプ部１０４と送受信部１０６とを介してベースバンド信号処理部１０８に入力されている下りリンク信号の周波数が切り替えられる。
【０１０３】
そのため、下りリンクリファレンス信号受信部１０８５は、「Ｉｎｔｅｒ-ｆｒｅｑｕｅｎｃｙ  Ｍｅａｓｕｒｅｍｅｎｔ」を行うレイヤの信号を、下りリンクリファレンス信号及びチャネル推定値と共に、Ｍｅａｓｕｒｅｍｅｎｔ部１０８５に通知するように構成されている。
【０１０４】
データ信号復号部１０８４は、下りリンクリファンレス信号受信部１０８５から入力されたチャネル推定値に基づいてデータ信号を補償し、基地局装置２００によって送信されたデータ信号を復元するように構成されている。
【０１０５】
ここで、データ信号とは、基地局装置２００によって、「報知チャネル」や「下りリンク共有チャネル（ＤＬ-ＳＣＨ）」や「下りリンク制御チャネル」を介して送信された信号のことである。
【０１０６】
ここで、「報知チャネル」とは、より具体的には、「物理報知チャネル（Ｐ-ＢＣＨ：Ｐｈｙｓｉｃａｌ  Ｂｒｏａｄｃａｓｔ  Ｃｈａｎｎｅｌ）」や「ダイナミック報知チャネル（Ｄ-ＢＣＨ：Ｄｙｎａｍｉｃ  Ｂｒｏａｄｃａｓｔ  Ｃｈａｎｎｅｌ）」のことである。
【０１０７】
また、「下りリンク制御チャネル」を介して送信された信号とは、「物理下りリンク制御チャネル（ＰＤＣＣＨ）」にマッピングされている「下りリンクスケジューリング情報」や「上りリンクスケジューリンググラント」や「上りリンク共有チャネルの送達確認情報」等である。
【０１０８】
データ信号復号部１０８４は、復号後のデータ信号をＭＡＣ処理部１０８８に入力するように構成されている。
【０１０９】
また、データ信号復号部１０８４は、「物理報知チャネル（Ｐ-ＢＣＨ）」や「ダイナミック報知チャネル（Ｄ-ＢＣＨ）」に含まれる情報を取得して、必要に応じて、ユーザ装置１００n内部の各部に通知するように構成されている。
【０１１０】
なお、かかるデータ信号に含まれる「Ｍｅａｓｕｒｅｍｅｎｔ  Ｃｏｎｆｉｇｕｒａｔｉｏｎ」は、ＭＡＣ処理部１０８８とＲＬＣ処理部１０８９とを介して、呼処理部１１０内のＭｅａｓｕｒｅｍｅｎｔ制御部１１０２に送られるように構成されている。
【０１１１】
Ｍｅａｓｕｒｅｍｅｎｔ部１０８６は、下りリンクリファンレス信号受信部１０８５から入力された「下りリンクリファレンス信号」及び「チャネル推定値」に基づいて、隣接セルにおける通信品質を測定するように構成されている。
【０１１２】
すなわち、Ｍｅａｓｕｒｅｍｅｎｔ部１０８６は、同一周波数のセルの測定を行う「Ｉｎｔｒａ-ｆｒｅｑｕｅｎｃｙ  Ｍｅａｓｕｒｅｍｅｎｔ」や、異なる周波数のセルの測定を行う「Ｉｎｔｅｒ-ｆｒｅｑｕｅｎｃｙ  Ｍｅａｓｕｒｅｍｅｎｔ」を行うように構成されている。
【０１１３】
例えば、Ｍｅａｓｕｒｅｍｅｎｔ部１０８６は、隣接セルにおける通信品質として、ＲＳＲＰや、ＲＳＳＩや、ＲＳＲＱや、Ｐａｔｈｌｏｓｓや、ＲＳ-ＳＩＲ等を測定するように構成されていてもよい。
【０１１４】
以下、周波数の異なる２つ以上のレイヤに関する「Ｉｎｔｅｒ-ｆｒｅｑｕｅｎｃｙ  Ｍｅａｓｕｒｅｍｅｎｔ」に関して説明を行う。
【０１１５】
図５に示すように、ユーザ装置１００ｎが、第１のレイヤにおいて基地局装置２００と通信を行っており、かつ、基地局装置２００が、ユーザ装置１００ｎに対して、第２のレイヤと第３のレイヤと第４のレイヤとに関する「Ｍｅａｓｕｒｅｍｅｎｔ」を行うように指示している場合について考える。
【０１１６】
ここで、第２のレイヤ、第３のレイヤ及び第４のレイヤには、優先度が付与されているものとする。
【０１１７】
より具体的には、第２のレイヤに最も高い優先度が付与されており、第３のレイヤに２番目に高い優先度が付与されており、第４のレイヤに３番目に高い優先度が付与されているものとする。
【０１１８】
なお、各レイヤに付与されている優先度は、例えば、「Ｍｅａｓｕｒｅｍｅｎｔ  Ｃｏｎｆｉｇｕｒａｔｉｏｎ」に含まれてもよい。
【０１１９】
すなわち、基地局装置２００は、ユーザ装置１００ｎに対して、「Ｍｅａｓｕｒｅｍｅｎｔ  Ｃｏｎｆｉｇｕｒａｔｉｏｎ」によって、レイヤ毎の優先度を通知してもよい。
【０１２０】
この時、Ｍｅａｓｕｒｅｍｅｎｔ部１０８６は、レイヤ毎の優先度に基づいて、第１に、第２のレイヤの「Ｉｎｔｅｒ-ｆｒｅｑｕｅｎｃｙ  Ｍｅａｓｕｒｅｍｅｎｔ」を行い、第２に、第３のレイヤの「Ｉｎｔｅｒ-ｆｒｅｑｕｅｎｃｙ  Ｍｅａｓｕｒｅｍｅｎｔ」を行い、第３に、第４のレイヤの「Ｉｎｔｅｒ-ｆｒｅｑｕｅｎｃｙ  Ｍｅａｓｕｒｅｍｅｎｔ」を行うように構成されている。
【０１２１】
すなわち、Ｍｅａｓｕｒｅｍｅｎｔ部１０８６は、レイヤ毎の優先度に基づいて、優先度の高いレイヤから順に「Ｉｎｔｅｒ-ｆｒｅｑｕｅｎｃｙ  Ｍｅａｓｕｒｅｍｅｎｔ」を行うように構成されている。
【０１２２】
なお、かかる「Ｉｎｔｅｒ-ｆｒｅｑｕｅｎｃｙ  Ｍｅａｓｕｒｅｍｅｎｔ」には、後述する同期信号受信部１０８７によって行われる同期信号の捕捉処理も含まれる。
【０１２３】
より具体的には、Ｍｅａｓｕｒｅｍｅｎｔ部１０８６は、後述するＭｅａｓｕｒｅｍｅｎｔ制御部１１０２によって管理されている「Ｍｅａｓｕｒｅｍｅｎｔ  ｇａｐｓ（ギャップ期間）」において測定すべき周波数を、上述の優先度に基づいて切り替えるように構成されていてもよい。
【０１２４】
すなわち、Ｍｅａｓｕｒｅｍｅｎｔ部１０８６は、レイヤ毎の優先度に基づいて、「Ｍｅａｓｕｒｅｍｅｎｔ  ｇａｐｓ（ギャップ期間）」において測定すべき周波数を決定して、「Ｉｎｔｅｒ-ｆｒｅｑｕｅｎｃｙ  Ｍｅａｓｕｒｅｍｅｎｔ」を行うように構成されていてもよい。
【０１２５】
なお、Ｍｅａｓｕｒｅｍｅｎｔ部１０８６及びＭｅａｓｕｒｅｍｅｎｔ制御部１１０２は、全てのレイヤの測定が終わっていなくても、基地局装置２００に対して、「Ｍｅａｓｕｒｅｍｅｎｔ  Ｒｅｐｏｒｔ」を送信する条件を満たした場合には、随時、「Ｍｅａｓｕｒｅｍｅｎｔ  Ｒｅｐｏｒｔ」を送信するように構成されていてもよい。
【０１２６】
この結果、優先度の高いレイヤに関する「Ｍｅａｓｕｒｅｍｅｎｔ  Ｒｅｐｏｒｔ」が、優先度の低いレイヤの測定が終了するのを待たずに、ユーザ装置１００ｎから基地局装置２００に送信されることになる。
【０１２７】
なお、上述した例においては、２つ以上のレイヤの測定が、全て「Ｉｎｔｅｒ-ｆｒｅｑｕｅｎｃｙ  Ｍｅａｓｕｒｅｍｅｎｔ」であったが、２つ以上のレイヤの測定に、「Ｉｎｔｅｒ-ＲＡＴ  Ｍｅａｓｕｒｅｍｅｎｔ」が含まれてもよい。
【０１２８】
この場合、ユーザ装置１００ｎは、当該ＲＡＴに関するベースバンド信号処理部を具備し、当該ＲＡＴに関する「Ｍｅａｓｕｒｅｍｅｎｔ」を行う。
【０１２９】
また、同期信号受信部１０８７は、下りリンクの同期信号を用いて、隣接するセル、すなわち、周辺セルの同期信号を捕捉し、セルのＩＤを取得するように構成されている。
【０１３０】
なお、「Ｉｎｔｅｒ-ｆｒｅｑｕｅｎｃｙ  Ｍｅａｓｕｒｅｍｅｎｔ」が行われる場合には、上述したように、アンテナ部１０２とアンプ部１０４と送受信部１０６とを介してベースバンド信号処理部１０８に入力されている下りリンク信号の周波数が切り替えられているため、同期信号受信部１０８７は、「Ｉｎｔｅｒ-ｆｒｅｑｕｅｎｃｙ  Ｍｅａｓｕｒｅｍｅｎｔ」を行うレイヤのセルの同期信号を捕捉するように構成されている。
【０１３１】
ＭＡＣ処理部１０８８は、データ信号復号部１０８４よって復号された「下りリンクスケジューリング情報」や「上りリンクスケジューリンググラント」や「上りリンク共有チャネル（ＵＬ-ＳＣＨ）に対する送達確認情報」等を受信するように構成されている。
【０１３２】
また、ＭＡＣ処理部１０８８は、入力された「上りリンクスケジューリンググラント」に基づいて、上りリンク用のユーザデータの送信フォーマットの決定や、ＭＡＣレイヤにおけるＨＡＲＱ再送制御等の送信処理を行うように構成されている。
【０１３３】
すなわち、データ信号復号部１０８４から入力された「上りリンクスケジューリンググラント」によって、基地局装置２００から、「上りリンク共有チャネル（ＵＬ-ＳＣＨ）」を用いた通信を行うことが指示された場合には、ＭＡＣ処理部１０８８は、ユーザ装置１００n内のデータバッファに存在するユーザデータに関して、送信フォーマットの決定やＨＡＲＱ再送制御等の送信処理を行った後、当該ユーザデータを信号生成部１０９０に入力するように構成されている。
【０１３４】
また、ＭＡＣ処理部１０８８は、下りリンクに関しては、例えば、データ信号復号部１０８４より受信した「下りリンクスケジューリング情報」に基づいて、下りリンク用のユーザデータについて、ＭＡＣ再送制御の受信処理等を行うように構成されている。
【０１３５】
ＲＬＣ処理部１０８９は、上りリンクに関しては、ユーザデータに対して、分割・結合処理や、ＲＬＣ再送制御の送信処理等のＲＬＣレイヤにおける送信処理を行い、下りリンクに関しては、ユーザデータに対して、分割・結合処理や、ＲＬＣ再送制御の受信処理等のＲＬＣレイヤにおける受信処理を行うように構成されている。
【０１３６】
なお、ＲＬＣ処理部１０８９は、さらに、ＰＤＣＰレイヤにおける処理を行うように構成されていてもよい。
【０１３７】
また、ＲＬＣ処理部１０８９は、基地局装置２００によって送信された「報知情報」や「ＲＲＣメッセージ」に含まれる情報を、呼処理部１１０に通知するように構成されている。
【０１３８】
信号生成部１０９０は、上りリンクで送信する「上りリンク共有信号」や「Ｓｏｕｎｄｉｎｇ  ＲＳ」や「上りリンク制御信号」、例えば、「下りリンクの品質情報（ＣＱＩ）」や「下りリンク共有チャネル（ＤＬ-ＳＣＨ）の送達確認情報」や「ランダムアクセスのためのプリアンブル信号（ランダムアクセスチャネル用信号）」等の信号生成処理、例えば、符号化やデータ変調等の処理を行った後、送信処理部１０９１に送信するように構成されている。
【０１３９】
送信処理部１０９１は、信号生成部１０９０によって入力された信号に対して、ＤＦＴ処理やＩＦＦＴ処理やＣＰ挿入処理等の送信処理を行うように構成されている。
【０１４０】
呼処理部１１０は、Ｍｅａｓｕｒｅｍｅｎｔ制御部１１０２を具備する。呼処理部１１０は、通信チャネルについての設定やハンドオーバや解放等の呼処理や、移動局１００ｎの状態管理を行うように構成されている。
【０１４１】
例えば、呼処理部１１２は、基地局装置２００から送信された「報知情報」や「ＲＲＣメッセージ」を受信し、必要に応じて、かかる「報知情報」や「ＲＲＣメッセージ」に含まれる情報を、移動局１００ｎの各部に通知するように構成されている。
【０１４２】
以下に、呼処理部１１０内のＭｅａｓｕｒｅｍｅｎｔ制御部１１０２の処理について説明する。
【０１４３】
Ｍｅａｓｕｒｅｍｅｎｔ制御部１１０２は、ユーザ装置１００ｎにおける「Ｍｅａｓｕｒｅｍｅｎｔ」についての制御及び管理を行うように構成されている。
【０１４４】
具体的には、Ｍｅａｓｕｒｅｍｅｎｔ制御部１１０２は、基地局装置２００によって送信された「Ｍｅａｓｕｒｅｍｅｎｔ  Ｃｏｎｆｉｇｕｒａｔｉｏｎ」に基づいて、「Ｍｅａｓｕｒｅｍｅｎｔ」についての管理及び制御を行うように構成されている。
【０１４５】
以下に、「Ｍｅａｓｕｒｅｍｅｎｔ  Ｃｏｎｆｉｇｕｒａｔｉｏｎ」に含まれるパラメータの一例を示す。
【０１４６】
「Ｍｅａｓｕｒｅｍｅｎｔ  ｔｙｐｅ」は、測定のタイプを示すパラメータである。具体的には、「Ｍｅａｓｕｒｅｍｅｎｔ  ｔｙｐｅ」には、同一周波数のセルを測定する「Ｉｎｔｒａ-ｆｒｅｑｕｅｎｃｙ  Ｍｅａｓｕｒｅｍｅｎｔ」や、異なる周波数のセルを測定する「Ｉｎｔｅｒ-ｆｒｅｑｕｅｎｃｙ  Ｍｅａｓｕｒｅｍｅｎｔ」、ＵＴＲＡのセルを測定する「Ｉｎｔｅｒ-ＲＡＴ  Ｍｅａｓｕｒｅｍｅｎｔ  ｏｆ  ＵＴＲＡ  ｆｒｅｑｕｅｎｃｉｅｓ」や、ＧＳＭのセルを測定する「Ｉｎｔｅｒ-ＲＡＴ  Ｍｅａｓｕｒｅｍｅｎｔ  ｏｆ  ＧＥＲＡＮ  ｆｒｅｑｕｅｎｃｉｅｓ」等が設定される。
【０１４７】
「Ｍｅａｓｕｒｅｍｅｎｔ  ｏｂｊｅｃｔｓ」は、測定の対象に関するパラメータである。具体的には、「Ｍｅａｓｕｒｅｍｅｎｔ  ｏｂｊｅｃｔｓ」には、例えば、測定対象の周波数やセルのＩＤ等が設定される。
【０１４８】
「Ｒｅｐｏｒｔｉｎｇ  ｃｏｎｆｉｇｕｒａｔｉｏｎｓ」は、測定結果の報告に関するパラメータである。具体的には、「Ｒｅｐｏｒｔｉｎｇ  ｃｏｎｆｉｇｕｒａｔｉｏｎｓ」には、イベントが発生した場合に報告する或いは周期的に報告するといった報告の契機や、イベントが発生した場合に報告する場合の「ヒステリシスの値」や「Ｔｉｍｅ  ｔｏ  Ｔｒｉｇｇｅｒの値」や、周期的に報告する場合の報告周期等が設定される。また、「Ｒｅｐｏｒｔｉｎｇ  ｃｏｎｆｉｇｕｒａｔｉｏｎｓ」に、報告するセルの数等の報告のフォーマットに関するパラメータが含まれていてもよい。
【０１４９】
「Ｍｅａｓｕｒｅｍｅｎｔ  ｉｄｅｎｔｉｔｉｅｓ」は、測定結果を報告する際の参照用のＩＤに関するパラメータである。
【０１５０】
「Ｑｕａｎｔｉｔｙ  ｃｏｎｆｉｇｕｒａｔｉｏｎｓ」は、測定する値に関するパラメータであり、例えば、上述したＲＳＲＰやＲＳＲＱに相当する。また、「Ｑｕａｎｔｉｔｙ  ｃｏｎｆｉｇｕｒａｔｉｏｎｓ」には、測定結果をフィルタリングするためのパラメータが含まれていてもよい。
【０１５１】
「Ｍｅａｓｕｒｅｍｅｎｔ  ｇａｐｓ」は、ユーザ装置１００ｎが測定を行うために使うギャップ期間に関するパラメータである。
【０１５２】
例えば、Ｍｅａｓｕｒｅｍｅｎｔ制御部１１０２は、「Ｍｅａｓｕｒｅｍｅｎｔ  Ｃｏｎｆｉｇｕｒａｔｉｏｎ」を、Ｍｅａｓｕｒｅｍｅｎｔ部１０８６に通知するように構成されている。
【０１５３】
ここで、「Ｍｅａｓｕｒｅｍｅｎｔ  Ｃｏｎｆｉｇｕｒａｔｉｏｎ」に、「Ｉｎｔｅｒ-ｆｒｅｑｕｅｎｃｙ  Ｍｅａｓｕｒｅｍｅｎｔ」或いは「Ｉｎｔｅｒ-ＲＡＴ  Ｍｅａｓｕｒｅｍｅｎｔ」における各レイヤの優先度が付与されている場合には、Ｍｅａｓｕｒｅｍｅｎｔ制御部１１０２は、各レイヤの優先度についても、Ｍｅａｓｕｒｅｍｅｎｔ部１０８６に通知するように構成されている。
【０１５４】
なお、Ｍｅａｓｕｒｅｍｅｎｔ制御部１１０２は、「Ｍｅａｓｕｒｅｍｅｎｔ  Ｃｏｎｆｉｇｕｒａｔｉｏｎ」によって、測定を行うべきレイヤに関する優先度だけでなく、ユーザ装置１００ｎが通信を行っているレイヤに関する優先度も通知されてよい。
【０１５５】
また、Ｍｅａｓｕｒｅｍｅｎｔ制御部１１０２は、「Ｍｅａｓｕｒｅｍｅｎｔ  Ｃｏｎｆｉｇｕｒａｔｉｏｎ」に含まれる「Ｍｅａｓｕｒｅｍｅｎｔ  ｇａｐｓ」に基づいて、ギャップ情報の管理を行うように構成されている。
【０１５６】
具体的には、Ｍｅａｓｕｒｅｍｅｎｔ制御部１１０２は、「Ｍｅａｓｕｒｅｍｅｎｔ  ｇａｐｓ」に基づいて、設定されているギャップ期間において、アンテナ１０２とアンプ部１０４と送受信部１０６とに対して、受信する下りリンク信号の周波数を切り替えるように指示する。
【０１５７】
ここで、Ｍｅａｓｕｒｅｍｅｎｔ制御部１１０２は、上述したように、測定を行うレイヤの優先度に基づいて、受信する下りリンク信号の周波数を決定するように構成されている。
【０１５８】
すなわち、Ｍｅａｓｕｒｅｍｅｎｔ制御部１１０２は、優先度の高いレイヤのセルから順に、「Ｍｅａｓｕｒｅｍｅｎｔ」を行うことができるように、受信する下りリンク信号の周波数を決定し、決定した周波数をアンテナ１０２とアンプ部１０４と送受信部１０６とに通知するように構成されている。
【０１５９】
上述のように、ユーザ装置１００ｎは、基地局装置２００との間で無線リンクを確立しているＲＲＣ_Ｃｏｎｎｅｃｔｅｄ状態（接続状態）において、基地局装置２００から通知された「Ｍｅａｓｕｒｅｍｅｎｔ  Ｃｏｎｆｉｇｕｒａｔｉｏｎ（第１制御信号）」によって通知される第１優先度に基づいて、２つ以上のレイヤに属するセルにおける通信品質を測定し、かかる測定結果を基地局装置２００に対して報告し、基地局装置２００からの指示に応じてハンドオーバ処理を行うように構成されている。
【０１６０】
具体的には、Ｍｅａｓｕｒｅｍｅｎｔ制御部１１０２が、基地局装置２００から通知された「Ｍｅａｓｕｒｅｍｅｎｔ  Ｃｏｎｆｉｇｕｒａｔｉｏｎ（第１制御信号）」によって通知される第１優先度（レイヤ毎の優先度）を、Ｍｅａｓｕｒｅｍｅｎｔ部１０８６に通知するように構成されている。
【０１６１】
そして、Ｍｅａｓｕｒｅｍｅｎｔ部１０８６が、かかる第１優先度に基づいて、２つ以上のレイヤに属するセルにおける通信品質を測定し、すなわち、「Ｍｅａｓｕｒｅｍｅｎｔ」を行うように構成されている。
【０１６２】
その後、呼処理部１１０が、基地局装置２００からの指示に応じてハンドオーバ処理を行うように構成されている。
【０１６３】
また、ユーザ装置１００ｎは、Ｉｄｌｅ状態（待ち受け状態）において、基地局装置２００から通知された第２制御信号（例えば、報知情報やＲＲＣメッセージ等）によって通知される第２優先度に基づいて、２つ以上のレイヤに属するセルにおける通信品質を測定し、該かかる測定結果に基づいて待ち受けを行うセルを決定するように構成されている。
【０１６４】
具体的には、Ｍｅａｓｕｒｅｍｅｎｔ制御部１１０２が、基地局装置２００から通知された第２制御信号によって通知される第２優先度（レイヤ毎の優先度）を、Ｍｅａｓｕｒｅｍｅｎｔ部１０８６に通知するように構成されている。
【０１６５】
そして、Ｍｅａｓｕｒｅｍｅｎｔ部１０８６が、かかる第２優先度に基づいて、２つ以上のレイヤに属するセルにおける通信品質を測定し、すなわち、「Ｍｅａｓｕｒｅｍｅｎｔ」を行うように構成されている。
【０１６６】
その後、呼処理部１１０が、かかる測定結果に基づいて、待ち受けを行うセルを決定する、すなわち、「Ｃｅｌｌ  Ｒｅｓｅｌｅｃｔｉｏｎ」を行うように構成されている。
【０１６７】
ここで、ユーザ装置１００ｎは、より高い優先度を有するセルにおける通信品質の測定を、より低い優先度を有するセルにおける通信品質の測定よりも先に行うように構成されている。
【０１６８】
また、ユーザ装置１００ｎ（Ｍｅａｓｕｒｅｍｅｎｔ制御部１１０２）は、ユーザ装置１００ｎがＲＲＣ_Ｃｏｎｎｅｃｔｅｄ状態からＩｄｌｅ状態に遷移する際に第１優先度を廃棄し、ユーザ装置１００ｎがＩｄｌｅ状態からＲＲＣ_Ｃｏｎｎｅｃｔｅｄ状態に遷移する際に第２優先度を廃棄するように構成されている。
【０１６９】
ここで、図６を参照して、ユーザ装置１００ｎの状態遷移の一例について具体的に説明する。
【０１７０】
図６において、状態１は、ユーザ装置１００ｎがＩｄｌｅ状態であり、報知情報（Ｓｙｓｔｅｍ  Ｉｎｆｏｒｍａｔｉｏｎ）によって優先度が通知されている状態である。
【０１７１】
また、状態２は、ユーザ装置１００ｎがＩｄｌｅ状態であり、個別シグナリングによって優先度が通知されている状態である。
【０１７２】
また、状態３は、ユーザ装置１００ｎがＲＲＣ_Ｃｏｎｎｅｃｔｅｄ状態であり、優先度が通知されていない状態である。
【０１７３】
さらに、状態４は、ユーザ装置１００ｎがＲＲＣ_Ｃｏｎｎｅｃｔｅｄ状態であり、優先度が通知されている状態である。
【０１７４】
ここで、状態３及び状態４において、優先度が含まれていない「ＲＲＣ  Ｃｏｎｎｅｃｔｉｏｎ  Ｒｅｌｅａｓｅ」によってＲＲＣコネクションが解放された場合（イベント１）、ユーザ装置１００ｎの状態は、状態１に遷移する。
【０１７５】
また、状態２において、所定タイマが満了した場合或いは他のＰＬＭＮに移動した場合（イベント２）、ユーザ装置１００ｎの状態は、状態１に遷移する。
【０１７６】
また、状態３又は状態４において、優先度が含まれている「ＲＲＣ  Ｃｏｎｎｅｃｔｉｏｎ  Ｒｅｌｅａｓｅ」によってＲＲＣコネクションが解放された場合（イベント３）、ユーザ装置１００ｎの状態は、状態２に遷移する。
【０１７７】
また、状態１及び状態２において、ＲＲＣコネクションが設定された場合（イベント４）、ユーザ装置１００ｎの状態は、状態３に遷移する。
【０１７８】
また、状態４において、優先度を削除するという「ＲＲＣ  Ｃｏｎｎｅｃｔｉｏｎ  Ｒｅｃｏｎｆｉｇｕｒａｔｉｏｎ」を受信した場合や所定タイマが満了した場合や他のＰＬＭＮに移動した場合（イベント５）、ユーザ装置１００ｎの状態は、状態３に遷移する。
【０１７９】
さらに、状態３において、優先度を追加するという「ＲＲＣ  Ｃｏｎｎｅｃｔｉｏｎ  Ｒｅｃｏｎｆｉｇｕｒａｔｉｏｎ」を受信した場合（イベント６）、ユーザ装置１００ｎの状態は、状態４に遷移する。
【０１８０】
次に、図７を参照して、基地局装置２００の構成について説明する。
【０１８１】
図７に示すように、基地局装置２００は、送受信アンテナ２０２と、アンプ部２０４と、送受信部２０６と、ベースバンド信号処理部２０８と、呼処理部２１０と、伝送路インターフェース２１２とを具備している。
【０１８２】
送受信アンテナ２０２は、ユーザ装置１００ｎとの間で上りリンク信号及び下りリンク信号を送受信するように構成されている。
【０１８３】
アンプ部２０４は、送受信アンテナ２０２によって受信された上りリンク信号（無線周波数信号）及び送受信部２０６によって入力された下りリンク信号（無線周波数信号）を増幅するように構成されている。
【０１８４】
送受信部２０６は、アンプ部２０４で増幅された無線周波数信号に対して、周波数変換処理を施して、ベースバンド信号に変換するように構成されている。また、ベースバンド信号処理部２０８によって入力されたベースバンド信号に対して、周波数変換処理を施して、無線周波数信号に変換するように構成されている。
【０１８５】
ベースバンド信号処理部２０８は、送受信部２０６から入力されたベースバンド信号に対して受信処理を施すように構成されている。また、ベースバンド信号処理部２０８は、伝送路インターフェース２１２を介して上位局から受信したユーザデータや、呼処理部２１０内のＭｅａｓｕｒｅｍｅｎｔ制御部２１０２から受信した「Ｍｅａｓｕｒｅｍｅｎｔ  Ｃｏｎｆｉｇｕｒａｔｉｏｎ」等に対して送信処理を行うように構成されている。
【０１８６】
ここで、「Ｍｅａｓｕｒｅｍｅｎｔ  Ｃｏｎｆｉｇｕｒａｔｉｏｎ」とは、例えば、ＲＲＣメッセージであってもよく、さらに具体的には、「ＲＲＣ  Ｃｏｎｎｅｃｔｉｏｎ  Ｒｅｃｏｎｆｉｇｕｒａｔｉｏｎ」のＲＲＣメッセージであってもよい。
【０１８７】
呼処理部２１０は、ＲＲＣ_Ｃｏｎｎｅｃｔｅｄ状態のユーザ装置１００ｎに対して、２つ以上のレイヤに属するセルにおける通信品質を測定して報告するように指示し、第１優先度を含む「Ｍｅａｓｕｒｅｍｅｎｔ  Ｃｏｎｆｉｇｕｒａｔｉｏｎ（第１制御信号）」を送信するように構成されている。
【０１８８】
また、呼処理部２１０は、ユーザ装置１００ｎによって第１優先度に基づいて測定された２つ以上のレイヤに属するセルにおける通信品質（「Ｍｅａｓｕｒｅｍｅｎｔ  Ｒｅｐｏｒｔ」）に基づいて、ユーザ装置１００ｎがハンドオーバ処理を行うべきか否かについて判定するように構成されている。
【０１８９】
また、呼処理部２１０は、Ｉｄｌｅ状態のユーザ装置１００ｎに対して、２つ以上のレイヤに属するセルにおける通信品質を測定して待ち受けを行うセルを決定するために用いられ、第２優先度を含む第２制御信号を送信するように構成されている。
【０１９０】
（本発明の第１の実施形態に係る移動通信システムの動作）
図８乃至図１０を参照して、本発明の第１の実施形態に係る移動通信システムの動作について説明する。
【０１９１】
第１に、図８を参照して、ＲＲＣ_Ｃｏｎｎｅｃｔｅｄ状態のユーザ装置１００ｎの動作について説明する。
【０１９２】
図８に示すように、ステップＳ１０１において、ユーザ装置１００ｎは、基地局装置２００から通知された「Ｍｅａｓｕｒｅｍｅｎｔ  Ｃｏｎｆｉｇｕｒａｔｉｏｎ（第１制御信号）」を受信する。
【０１９３】
ステップＳ１０２において、ユーザ装置１００ｎは、「Ｍｅａｓｕｒｅｍｅｎｔ  Ｃｏｎｆｉｇｕｒａｔｉｏｎ」に設定されている測定を行うべきセル（図８の例では、第１のレイヤのセル及び第２のレイヤのセル）の優先度（第１優先度）を取得する。
【０１９４】
なお、かかる優先度は、「Ｍｅａｓｕｒｅｍｅｎｔ  Ｃｏｎｆｉｇｕｒａｔｉｏｎ」の「Ｍｅａｓｕｒｅｍｅｎｔ  ｏｂｊｅｃｔｓ」に設定されていてもよいし、その他のパラメータに設定されていてもよい。
【０１９５】
ステップＳ１０３において、第１のレイヤのセルに付与されている優先度と第２のレイヤのセルに付与されている優先度とを比較する。
【０１９６】
第１のレイヤのセルに付与されている優先度が、第２のレイヤのセルに付与されている優先度よりも高い場合、ユーザ装置１００ｎは、ステップＳ１０４において、第１のレイヤのセルの測定を行い、ステップＳ１０５において、第２のレイヤのセルの測定を行う。
【０１９７】
一方、第２のレイヤのセルに付与されている優先度が、第１のレイヤのセルに付与されている優先度よりも高い場合、ユーザ装置１００ｎは、ステップＳ１０６において、第２のレイヤのセルの測定を行い、ステップＳ１０７において、第１のレイヤのセルの測定を行う。
【０１９８】
第２に、図９を参照して、ＲＲＣ_Ｃｏｎｎｅｃｔｅｄ状態からＩｄｌｅ状態に遷移する場合のユーザ装置１００ｎの動作について説明する。
【０１９９】
図９に示すように、ステップＳ２０１において、ユーザ装置１００ｎは、基地局装置２００から通知された「Ｍｅａｓｕｒｅｍｅｎｔ  Ｃｏｎｆｉｇｕｒａｔｉｏｎ（第１制御信号）」を受信する。
【０２００】
ステップＳ２０２において、ユーザ装置１００ｎは、「Ｍｅａｓｕｒｅｍｅｎｔ  Ｃｏｎｆｉｇｕｒａｔｉｏｎ」に設定されている測定を行うべきセル（図９の例では、第１のレイヤのセル及び第２のレイヤのセル）の優先度（第１優先度）を取得する。
【０２０１】
その後、ステップＳ２０３において、Ｉｄｌｅ状態に遷移することが決定された場合、ステップＳ２０４において、ユーザ装置１００ｎは、上述の第１優先度を廃棄する。
【０２０２】
第３に、図１０を参照して、基地局装置２００の動作について説明する。
【０２０３】
図１０に示すように、ステップＳ３０１において、基地局装置２００は、ユーザ装置１００ｎの測定対象の各レイヤ（各セル）に対して優先度を付与する。
【０２０４】
ステップＳ３０２において、基地局装置２００は、ユーザ装置１００ｎに対して、各レイヤ（各セル）に対して付与して優先度を含む「Ｍｅａｓｕｒｅｍｅｎｔ  Ｃｏｎｆｉｇｕｒａｔｉｏｎ（第１制御信号）」を送信する。
【０２０５】
ステップＳ３０３において、基地局装置２００は、ユーザ装置１００ｎから、測定対象の各レイヤ（各セル）についての「Ｍｅａｓｕｒｅｍｅｎｔ  Ｒｅｐｏｒｔ」を受信する。
【０２０６】
ステップＳ３０４において、基地局装置２００は、受信した「Ｍｅａｓｕｒｅｍｅｎｔ  Ｒｅｐｏｒｔ」に基づいて、ユーザ装置１００ｎに対してハンドオーバを行うように指示する。
【０２０７】
（本発明の第１の実施形態に係る移動通信システムの作用・効果）
本発明の第１の実施形態に係る移動通信システムによれば、ＲＲＣ_Ｃｏｎｎｅｃｔｅｄ状態のユーザ装置に対して、レイヤごとの優先度を通知することにより、かかる優先度に基づく複数のレイヤの異周波数測定を実現し、迅速でかつ高品質の異周波数ハンドオーバ及び異ＲＡＴハンドオーバを実現することができる。
【０２０８】
また、本発明の第１の実施形態に係る移動通信システムによれば、ＲＲＣ_Ｃｏｎｎｅｃｔｅｄ状態におけるユーザ装置１００ｎとＩｄｌｅ状態におけるユーザ装置１００ｎとの間で、各レイヤに対して異なる優先度を付与することが可能となる。
【０２０９】
すなわち、本発明の第１の実施形態に係る移動通信システムによれば、ユーザ装置１００ｎは、ＲＲＣ_Ｃｏｎｎｅｃｔｅｄ状態である場合と、Ｉｄｌｅ状態である場合とで、異なる優先度に基づいてＭｏｂｉｌｉｔｙの管理を行うことが可能となる。
【０２１０】
なお、上述のユーザ装置１００や基地局装置２００の動作は、ハードウェアによって実施されてもよいし、プロセッサによって実行されるソフトウェアモジュールによって実施されてもよいし、両者の組み合わせによって実施されてもよい。
【０２１１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２１２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ユーザ装置１００や基地局装置２００内に設けられていてもよい。また、かかる記憶媒体及びプロセッサは、ディスクリートコンポーネントとしてユーザ装置１００や基地局装置２００内に設けられていてもよい。
【０２１３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０２１４】
【図１】本発明の第１の実施形態に係る移動通信システムの全体構成図である。
【図２】本発明の第１の実施形態における下りリファレンス信号のマッピングの一例を示す図である。
【図３】本発明の第１の実施形態に係るユーザ装置の機能ブロック図である。
【図４】本発明の第１の実施形態に係るユーザ装置におけるベースバンド信号処理部の機能ブロック図である。
【図５】本発明の第１の実施形態に係るユーザ装置の接続形態について説明するための図である。
【図６】本発明の第１の実施形態に係るユーザ装置の状態変化について説明するための図である。
【図７】本発明の第１の実施形態に係る基地局装置の機能ブロック図である。
【図８】本発明の第１の実施形態に係るユーザ装置の動作を示すフローチャートである。
【図９】本発明の第１の実施形態に係るユーザ装置の動作を示すフローチャートである。
【図１０】本発明の第１の実施形態に係る基地局装置の動作を示すフローチャートである。
【図１１】一般的な移動通信システムにおけるハンドオーバ動作を示すフローチャートである。
【図１２】一般的な移動通信システムにおける異周波数ハンドオーバ及び異ＲＡＴハンドオーバについて説明するための図である。
【図１３】一般的な移動通信システムにおけるハンドオーバ処理時の測定について説明するための図である。
【符号の説明】
【０２１５】
１００…ユーザ装置
１０２…アンテナ
１０４、２０４…アンプ部
１０６、２０６…送受信部
１０８、２０８…ベースバンド信号処理部
１１０、２１０…呼処理部
１１０２、２１０２…Ｍｅａｓｕｒｅｍｅｎｔ制御部
１０８０…Ａ/Ｄ
１０８１…ＣＰ除去部
１０８２…ＦＦＴ
１０８３…ＤｅＭＵＸ
１０８４…データ信号復号部
１０８５…下りリファレンス信号受信部
１０８６…Ｍｅａｓｕｒｅｍｅｎｔ部
１０８７…同期信号受信部
１０８８…ＭＡＣ処理部
１０８９…ＲＬＣ処理部
１０９０…信号生成部
１０９１…送信処理部
１１２…アプリケーション部
２００…基地局装置
２０２…送受信アンテナ
２１２…伝送路インターフェース
３００…アクセスゲートウェイ装置
４００…コアネットワーク
５０…セル
【図１】
0005205093.tif 000002
【図２】
0005205093.tif 000003
【図３】
0005205093.tif 000004
【図４】
0005205093.tif 000005
【図５】
0005205093.tif 000006
【図６】
0005205093.tif 000007
【図７】
0005205093.tif 000008
【図８】
0005205093.tif 000009
【図９】
0005205093.tif 000010
【図１０】
0005205093.tif 000011
【図１１】
0005205093.tif 000012
【図１２】
0005205093.tif 000013
【図１３】
0005205093.tif 000014